(57)【要約】【課題】平地、傾斜屋根兼用のエアコン置台であって、傾斜屋根に設置する場合に上階の外壁に近接して設置可能としたエアコン置台を提供する。【解決手段】左右方向に配置される前後の横フレーム１と、前後の横フレーム１の左右端部間に架け渡される縦フレーム２と、横フレーム１の端部と縦フレーム２の端部との接続部Ａに結合される支柱３と、支柱３の下端部に取り付けられる支柱３の高さ調整用のアジャスタ４とを備えたエアコン置台である。そして、アジャスタ４は、支柱３の高さ調整可能に高さ方向に長径にされたボルト挿通用のボルト長孔４３を備えている。また、アジャスタ４は、支柱３が取り外された後方の接続部Ａに対し、支柱３を結合するためのねじを用いて、鉛直の建物の外壁に対する固定部材として接続部Ａに直接取り付けられることを可能とするねじ貫通孔４５，４６を備えている。【選択図】図１
2008164212.tif 000002
【特許請求の範囲】
【請求項１】
左右方向に配置される前後の横フレームと、前後の横フレームの左右端部間に架け渡される縦フレームと、横フレームの端部と縦フレームの端部との４箇所の各接続部に対し鉛直方向に結合される支柱と、各支柱の下端部にボルトにより取り付けられる支柱の高さ調整用のアジャスタとを備えたエアコン置台において、
前記アジャスタは、支柱の高さ調整可能に高さ方向に長径にされたボルト挿通用のボルト長孔と、支柱が取り外された後方の接続部に対し、支柱を結合するためのねじを用いて、鉛直の建物の外壁に対する固定部材として直接取り付けられることを可能とするねじ貫通孔とを備えている
ことを特徴とするエアコン置台。
【請求項２】
前記アジャスタは、さらに、支柱が取り外された後方の接続部に対し、支柱を結合するためのねじを用いて、傾斜面用の脚として直接取り付けられることを可能とするねじ貫通孔とを備えていることを特徴とする請求項１記載のエアコン置台。
【請求項３】
前記支柱を結合するためのねじは、タッピングねじであり、
前記横フレームは、スリットを形成する突条部が長手方向に形成されるとともに、スリットの端面が横フレームの長手方向端面に開放され、
さらに、前記接続部の構造及びこの接続部に対する支柱の結合構造は、横フレームの長手方向端面に縦フレームの外側壁及び支柱の側壁が重ねられ、重ねられた縦フレームの外側壁及び支柱の側壁を貫通するタッピングねじが横フレームのスリットに対しその端面側からねじ込まれることにより、前記縦フレーム及び前記支柱が前記横フレームに対し共締めされるように構成されていることを特徴とする請求項１又は２記載のエアコン置台。
【請求項４】
前記縦フレームは、
スリットを形成する突条部が長手方向に形成されるとともに、スリットの端面が縦フレームの長手方向端面に開放され、
前記支柱は、支柱の側壁を貫通するタッピングねじが縦フレームのスリットに対しその端面側からねじ込まれることにより、前記縦フレームに対しタッピングねじ止めされるように構成されていることを特徴とする請求項３記載のエアコン置台。
【請求項５】
前記横フレームは、前記スリットを形成する突条部が上下２箇所に形成され、この上下２箇所のスリットに対しねじ込まれる２本のタッピングねじにより、前記縦フレーム及び前記支柱が前記横フレームに対し共締めされるように構成されていることを特徴とすることを特徴とする請求項３又は４記載のエアコン置台。
【請求項６】
前記横フレームは、前記スリットが鉛直方向に並ぶように形成され、
前記アジャスタは、支柱の下端部の側面に当接される取付壁部と設置面に接地される接地壁部とを備え、
この取付壁部には、長手方向の中心線が前記接地壁部に対し垂直となるように前記ボルト長孔が形成され、このボルト長孔の長手方向の中心線を挟んで対象的な位置に前記横フレームのスリットにねじ込まれるタッピングねじを挿通させるねじ貫通孔が形成されるとともに、ボルト長孔の長手方向の中心線上の反接地壁部側の位置に前記縦フレームのスリットにねじ込まれるタッピングねじを挿通させるねじ貫通孔が形成され、
さらに、ボルト長孔の長手方向の中心線を挟んで対象的な位置に形成される前記ねじ貫通孔相互間の距離と、長手方向の中心線を挟んで対象的な位置に形成されるねじ貫通孔の一方のねじ貫通孔からボルト長孔の長手方向の中心線上の反接地壁部側の位置に形成されるねじ貫通孔までの距離とが、前記横フレームのスリット間の距離と同一に形成されていることを特徴とする請求項５記載のエアコン置台。
【請求項７】
前記支柱は、異なる高さのものを選択できるように準備されていることを特徴とする請求項１〜６の何れか１項に記載のエアコン置台。
【請求項８】
前記縦フレーム、前記横フレーム及び前記支柱は、アルミニウム又はアルミ系合金を材料として押出加工により形成されてなることを特徴とする請求項１〜７の何れか１項に記載のエアコン置台。
【発明の詳細な説明】
【技術分野】
【０００１】
本発明は、エアコン置台に関し、特に平地及び傾斜屋根に適用可能なエアコン置台に関する。
【背景技術】
【０００２】
一般に、エアコン室外機等を載置するエアコン置台として、平地用エアコン置台、傾斜屋根用エアコン置台が別個に生産されているが、汎用性を向上させるために平地用エアコン置台と傾斜屋根用エアコン置台とを兼用にしたものも生産されている。このようなものとしては、例えば非特許文献１に記載されているものがある。この非特許文献１に記載されているものは、基本は平地用の置台として形成されるものであって、四隅に立設される支柱の高さを変化させることにより、平地以外に、傾斜屋根や傾斜地に使用可能としたものである。すなわち、この非特許文献１に記載されているものは、後方の支柱に対する水平フレームの取り付け位置を下方に下げて後方の支柱の実質的長さを短くすることを可能にしたものであって、このように調整することにより、平地用エアコン置台として生産されたものを傾斜屋根や傾斜地に設置可能にしたものである。
【非特許文献１】株式会社キャッチャーの据付説明書「平地・傾斜屋根用  Ｃ−ＮＧ５・Ｃ−ＮＧ５−Ｌ型」０４−０６
【発明の開示】
【発明が解決しようとする課題】
【０００３】
ところで、上記のようなエアコン置台では、傾斜屋根に取り付ける場合、水平フレームが傾斜屋根の上方に離れて取り付けられるため安定性に欠けるという問題がある。また、後方の支柱の上方部がエアコンを載置する水平フレームの上方に大きく突出するため、見栄えが悪いばかりでなく、エアコン取付時の作業性も悪くなるという問題がある。また、豪雪地方において傾斜屋根にエアコンを設置する場合は、できるだけ上階の外壁に近接して取り付けたいという要望がある。この要望は、積雪の影響を避けるために上階の屋根の庇の下にエアコンを位置させたいとうものである。しかしながら、上記従来のエアコン置台では、このような要望を満足させることができなかった。
【０００４】
本発明は、このような実情に鑑み成されたものであり、その目的は、平地、傾斜屋根兼用のエアコン置台であって、傾斜屋根に設置する場合に上階の外壁に近接して設置可能としたエアコン置台を提供することにある。
【課題を解決するための手段】
【０００５】
上記課題を解決する手段としてのエアコン置台は、左右方向に配置される前後の横フレームと、前後の横フレームの左右端部間に架け渡される縦フレームと、横フレームの端部と縦フレームの端部との４箇所の各接続部に対し鉛直方向に結合される支柱と、各支柱の下端部にボルトにより取り付けられる支柱の高さ調整用のアジャスタとを備えたエアコン置台において、前記アジャスタは、支柱の高さ調整可能に高さ方向に長径にされたボルト挿通用のボルト長孔と、支柱が取り外された後方の接続部に対し、支柱を結合するためのねじを用いて、鉛直の建物の外壁に対する固定部材として直接取り付けられることを可能とするねじ貫通孔とを備えていることを特徴とする。
【０００６】
このような構成によれば、エアコン置台を傾斜屋根に載置する場合に、縦フレーム及び横フレームにより構成される水平フレームの後方を、アジャスタを介して直接的に上階の外壁に取り付けることができる。したがって、エアコン置台を傾斜屋根用として使用する場合に外壁に近接して取り付けることができ、積雪の影響を緩和することができる。また、この場合に、エアコン置台の後方には支柱が取り付けられないので、水平フレームが傾斜屋根から上方に離れすぎるようなことがなく、安定性が向上する。また、水平フレームの後方において支柱が上方に飛び出すようなこともないので、見栄えが向上するとともに、エアコン設置の作業性も向上する。
【０００７】
また、前記アジャスタは、さらに、支柱が取り外された後方の接続部に対し、支柱を結合するためのねじを用いて、傾斜面用の脚として直接取り付けられることを可能とするねじ貫通孔とを備えているようにしてもよい。このように構成によれば、前述のように水平フレームの後方を直接外壁に取り付けることが困難な場合に、後方に支柱を設けることなく傾斜屋根に直接載置する取付を行うことができる。したがって、前述の場合と同様に、水平フレームが傾斜屋根から上方に離れすぎるようなことがなく、安定性が向上する。また、水平フレームの後方において支柱が上方に飛び出すようなこともないので、見栄えが向上するとともに、エアコン設置の作業性も向上する。
【０００８】
また、前記支柱を結合するためのねじは、タッピングねじであり、前記横フレームは、スリットを形成する突条部が長手方向に形成されるとともに、スリットの端面が横フレームの長手方向端面に開放され、さらに、前記接続部の構造及びこの接続部に対する支柱の結合構造は、横フレームの長手方向端面に縦フレームの外側壁及び支柱の側壁が重ねられ、重ねられた縦フレームの外側壁及び支柱の側壁を貫通するタッピングねじが横フレームのスリットに対しその端面側からねじ込まれることにより、前記縦フレーム及び前記支柱が前記横フレームに対し共締めされるように構成されているように構成してもよい。
【０００９】
このように構成されたエアコン置台によれば、水平フレームの四隅の組付けにおいて、すなわち、縦フレームと横フレームとの接続部の構造、及び、この接続部に対する支柱の結合構造において、結合部材を別途設ける必要がなく、構成部品の部品点数を極力削減した構造とすることができる。また、載置するエアコンの機種によりサイズの異なるエアコン置台を製作する場合には、縦フレーム及び横フレームの長さを変更するのみで、同様の組付け構造とすることができる。また、エアコン置台の高さを変更したい場合には、支柱の長さを変更するだけで組付け構造はそのままとすることができる。このように本発明の組付け構造によれば、構成部品の共通化を図ることができる。また、突条部が横フレームの長手方向に形成されているので、横フレームの長手方向の曲げ強度を増加することができる。
【００１０】
また、前記縦フレームは、スリットを形成する突条部が長手方向に形成されるとともに、スリットの端面が縦フレームの長手方向端面に開放され、前記支柱は、支柱の側壁を貫通するタッピングねじが縦フレームのスリットに対しその端面側からねじ込まれることにより、前記縦フレームに対しタッピングねじ止めされるように構成されているものとしてもよい。このように構成すれば、接続部に対する支柱の結合強度がより向上する。また、突条部が縦フレームの長手方向に形成されているので、縦フレームの長手方向の曲げ強度を増加することができる。
【００１１】
また、前記横フレームは、前記スリットを形成する突条部が上下２箇所に形成され、この上下２箇所のスリットに対しねじ込まれる２本のタッピングねじにより、前記縦フレーム及び前記支柱が前記横フレームに対し共締めされるように構成されていてもよい。このようにすると、接続部に直接アジャスタを取り付ける場合に、1本のねじではなく２本のタッピングねじでアジャスタを取り付けることができるので、アジャスタの取付強度が向上する。
【００１２】
また、前記横フレームは、前記スリットが鉛直方向に並ぶように形成され、前記アジャスタは、支柱の下端部の側面に当接される取付壁部と設置面に接地される接地壁部とを備え、この取付壁部には、長手方向の中心線が前記接地壁部に対し垂直となるように前記ボルト長孔が形成され、このボルト長孔の長手方向の中心線を挟んで対象的な位置に前記横フレームのスリットにねじ込まれるタッピングねじを挿通させるねじ貫通孔が形成されるとともに、ボルト長孔の長手方向の中心線上の反接地壁部側の位置に前記縦フレームのスリットにねじ込まれるタッピングねじを挿通させるねじ貫通孔が形成され、さらに、ボルト長孔の長手方向の中心線を挟んで対象的な位置に形成される前記ねじ貫通孔相互間の距離と、長手方向の中心線を挟んで対象的な位置に形成されるねじ貫通孔の一方のねじ貫通孔からボルト長孔の長手方向の中心線上の反接地壁部側の位置に形成されるねじ貫通孔までの距離とが、前記横フレームのスリット相互間の距離と同一に形成されているようにしてもよい。
【００１３】
このように構成すれば、前記ボルト長孔を利用して支柱の下端部にアジャスタをボルト止めすると、ボルト長孔に対するボルトの固定位置を調整することにより支柱の高さを調整することができる。また、アジャスタの取付角度を変更することによりアジャスタの接地壁部の取付角度を調整することもできる。また、前記ボルト長孔の長手方向の中心線を挟んで対象的な位置に形成された二つのねじ貫通孔を利用して前記接続部にアジャスタを取り付けると、アジャスタの接地壁部を外壁に直接当接させて外壁に固定するエアコン置台ができる。また、前記ボルト長孔の長手方向の中心線を挟んで対象的な位置に形成されたねじ貫通孔の一つと前記ボルト長孔の長手方向の中心線上の反接地壁部側の位置に形成されたねじ貫通孔とを利用して前記後方の接続部にアジャスタを取り付けると、アジャスタの接地壁部を傾斜した状態とすることができる。したがって、このように後方の接続部に対しアジャスタを取り付けるとともに、前方の支柱の下端部に取り付けるアジャスタを傾斜させることにより、傾斜屋根用、傾斜地等の傾斜面に設置するエアコン置台に変更することができる。また、この場合において、前記ボルト長孔の長手方向の中心線を挟んで対象的な位置に形成されたねじ貫通孔の一つを使い分けるとともに、アジャスタの左右の向きを変更することにより、アジャスタを左右兼用に使用することができる。
【００１４】
また、前記支柱は、異なる高さのものを選択できるように準備してもよい。このように構成すれば、設置条件に対応して適切な高さの支柱を用いることができる。
また、前記縦フレーム、前記横フレーム及び前記支柱は、アルミニウム又はアルミ系合金を材料として押出加工により形成されたものとしてもよい。このように構成すれば、縦フレーム、横フレーム及び支柱は、押出加工により形成されるため、折り曲げ加工等の複雑な作業を経ることなく精密にかつ簡便にフレームを製造することができる。また、各フレームの軽量化を図ることができるため、運搬時及び組み立て時の取り扱いが容易となり、作業性を向上させることができる。
【発明の効果】
【００１５】
本発明によれば、エアコン置台を傾斜屋根用として使用する場合に建物の外壁に近接して取り付けられることができ、積雪の影響を緩和することができる。また、この場合に、エアコン置台の後方には支柱が取り付けられないので、縦フレーム及び横フレームにより構成される水平フレームが傾斜屋根から上方に離れすぎるようなことがなく、安定性が向上する。また、水平フレームの後方において支柱が上方に飛び出すようなこともないので、見栄えが向上するとともに、エアコン設置の作業性も向上する。
【発明を実施するための最良の形態】
【００１６】
以下、図１〜９を参照して、本発明に係るエアコン置台の一実施形態について説明する。
［平地用エアコン置台としての組付例］
図１は、本実施形態に係るエアコン置台を平地用として組み付けた組付例の斜視図である。平地用としての組付は、このエアコン置台における基本実施形態である。このエアコン置台は、左右方向に配置される前後の横フレーム１と、前後の横フレーム１の左右端部間に架け渡される縦フレーム２とを備えている。この横フレーム１と縦フレーム２とは、このエアコン置台における水平フレームを構成するものであって、両フレーム１，２の端部同士が直交状に組み合わされて四隅に横フレーム１と縦フレーム２との接続部Ａを形成している。また、接続部Ａそれぞれに対しは、鉛直方向に支柱３が結合され、さらに、支柱３の下端部にアジャスタ４が取り付けられている。なお、前後の横フレーム１の間には、縦フレーム２と平行して２本の載置ステー５が設けられている。
【００１７】
図２は横フレーム１と縦フレーム２との接続部Ａの分解斜視図である。横フレーム１、縦フレーム２及び支柱３は、アルミニウム又はアルミ系合金を材料として押出加工により形成されるとともに、長手方向に全長に亘って略一定の断面形状で形成されている。
【００１８】
横フレーム１は、図２から分かるように、断面略矩形の筒状部を形成するように上側壁１１、外側壁１２、下側壁１３、及び内側壁１４が配置され、内部に中空部が形成されている。また、横フレーム１は、外側壁１２から上側壁１１の上方に突出するように突出壁１５が形成されている。なお、この突出壁１５の端部には、横フレーム１と縦フレーム２とを接続するときに、縦フレーム２の後述する上部筒状壁２１の端部が横フレーム１の前記筒状部の上に重なって配置されるように、切欠部１５ａが形成されている。
【００１９】
また、横フレーム１の上側壁１１と下側壁１３との内面には、スリット１６ａ，１７ａを形成する２つの突条部１６，１７が横フレーム１の長手方向に沿ってそれぞれ設けられている。上側壁１１の突条部１６と下側壁１３の突条部１７とは、同様の断面形状を有するとともに、同一鉛直線上となるように配置されている。また、スリット１６ａ，１７ａは、その断面が横フレーム１の長手方向に沿って略円形、すなわち、部分的に円弧が欠損された略円形に形成されるとともに、その端面が横フレーム１の長手方向端面１ａに開放するように形成されている。このスリット１６ａ，１７ａは、横フレーム１の長手方向端面１ａと直角の方向からスリット１６ａ，１７ａに対してねじ込まれるタッピングねじ６１の下孔を形成する。すなわち、タッピングねじ６１がスリット１６ａ，１７ａに対しねじ込まれたときに、スリット１６ａ，１７ａの内周面にねじ溝が形成され、これによりスリット１６ａ，１７ａに対するタッピングねじ止めが可能となるように構成されている。なお、このように構成される突条部１６，１７は、横フレーム１の長手方向全長に亘って略一定の断面形状に形成されている。
【００２０】
また、横フレーム１の上側壁１１における前述のスリット１６ａ，１７ａの外側よりには、上面に開口するスリット１８ａを有する溝部１８が長手方向全長に亘って形成されている。このスリット１８ａは、縦フレーム２と平行して取り付けられる２本の載置ステー５をタッピングねじ止めするためのものである。
【００２１】
次に、縦フレーム２は、図２に示すように、筒状を成す上部筒状壁２１と、外側壁２２と、下側壁２３とにより略コ字状に形成されており、上部筒状壁２１の下面から下側壁２３の上面までの距離が、横フレーム１の上側壁１１の上面から下側壁１３の下面までの距離に略等しく形成されている。このように構成されていることにより、接続部Ａにおいて、縦フレーム２の端部の内側面が横フレーム１の長手方向端面に押し当てられるときに、図３に示すように、横フレーム１の断面矩形の筒状を成す部分が縦フレーム２のコ字状内に抱きかかえられるように組み合わせられる。また、縦フレームの外側壁２２には、前述のタッピングねじ６１を貫通させるためのねじ貫通孔２４が鉛直方向に２個並んで形成されている。
【００２２】
縦フレーム２の上部筒状壁２１は、断面形状がかまぼこ型を成すように、円弧状の上壁、平面状の下壁、短い寸法の内壁及び外壁により中空部が内部に形成されるように形成されている。そして、内壁の内面にはスリット２５ａを形成する突条部２５が形成されている。この突条部２５は、前述の横フレーム１の突条部１６，１７と同様の形状を有しており、縦フレーム２の長手方向全長に亘って一定の断面形状で形成されている。そして、スリット２５ａは、縦フレーム２の長手方向端面２ａと直角の方向からねじ込まれるタッピングねじ６２の下孔を形成する。すなわち、スリット２５ａの端面からタッピングねじ６２がスリット２５ａ内にねじ込まれたときに、スリット２５ａの内周面にねじ溝が形成され、これによりスリット２５ａに対するタッピングねじ止めが可能となるように構成されている。
【００２３】
上記のように構成された横フレーム１と縦フレーム２とは、図２に記載されているように、接続部Ａを形成するために、横フレーム１の長手方向端面１ａに対しコ字状を成す縦フレーム２の端部の内側面が押し当てられる。そして、縦フレーム２の上部筒状壁２１の端部が横フレーム１の突出壁１５の切欠部１５ａに配置されるとともに、横フレーム１の断面矩形の筒状を成す部分の端部が縦フレーム２に抱きかかえられるように組み合わされる。
【００２４】
支柱３は、図３に示すように、このように組み合わされる横フレーム１と縦フレーム２との接続部Ａに対し結合されるものであって、断面がＬ字状を成すように二つの側壁３１を備えており、さらに、各側壁３１の内側の面には複数条の補強用リブを備えている。そして、四隅の支柱３は、同一部品となるように、Ｌ字状のコーナ部３２を挟んで各側壁３１が対称的に形成されている。また、支柱３は、接続部Ａのコーナ部の外側に被せられるように押し当てられる。したがって、横フレーム１の長手方向端面１ａに対し縦フレーム２の外側壁２２が重ねられ、その上に支柱３の側壁３１が重ねられる。そして、横フレーム１の長手方向端面１ａと直角の方向からスリット１６ａ，１７ａにねじ込まれるタッピングねじ６１により、支柱３及び縦フレーム２が横フレーム１に対し共締めされる。さらに、支柱３において、すなわち、前方の支柱３については前面において、また、後方の支柱３については後面において、縦フレーム２の長手方向端面２ａと直角の方向から縦フレーム２のスリット２５ａにねじ込まれるタッピングねじ６２により、横フレーム１の外側壁１２を挟んで支柱３が縦フレーム２に固定される。なお、タッピングねじ６１とタッピングねじ６２とは同サイズのものが使用されている。
【００２５】
支柱３は、上記のような構成とするために、Ｌ字状を成す各側壁３１には、図１及び図３に示すように、下端部を除いてタッピングねじ６１，６２用のねじ貫通孔３３が所定間隔で複数形成されている。このねじ貫通孔３３は、二つの円形ねじ貫通孔を高さ方向に連結した瓢箪型に形成されている。瓢箪型のねじ貫通孔３３は、次のように使用されるように構成されている。図３に示すように、例えば一方の側壁３１の上二つのねじ貫通孔３３に２本のタッピングねじ６１が挿入される。この場合、タッピングねじ６１は、ねじ貫通孔３３のそれぞれの下部の孔に挿通される。また、他方の側壁３１における最上方の瓢箪型のねじ貫通孔３３に対しては、上部の孔にタッピングねじ６２が挿入されるように構成されている。また、支柱３の各側壁３１の下端部には、図１に示すように、アジャスタ４を根付きボルト６３により取付可能とするために四角のボルト貫通孔３４が設けられている。根付きボルト６３を使用するのは、ナット６４を締結するときにボルトの頭部を把持する必要をなくするためである。
【００２６】
アジャスタ４は、図１及び図４に示すように、基本的には支柱３の下端部に取り付けられて、支柱３の高さを調整するものであって、四隅に使用される支柱３として同一部品を使用できるように構成されている。また、アジャスタ４は、支柱３の下端部の側面に当接される取付壁部４１と設置面に接地される接地壁部４２とから構成され、取付壁部４１と接地壁部４２とがＬ字状に一体的に形成されている。そして、取付壁部４１には、長手方向の中心線が接地壁部４２に対し垂直となるようにボルト長孔４３が形成されている。このボルト長孔４３は、支柱３の高さを調整可能とするとともに、アジャスタ４の取付角度を調節可能とする。なお、アジャスタ４は、支柱３の下端部に対し前述のように根付きボルト６３、ナット６４により取り付けられるものであって、接地壁部４２にはアジャスタ４を接地面に対しボルトで固定するようなとのために、ボルトを貫通させる長孔のボルト貫通孔４４が設けられている。
【００２７】
また、アジャスタ４の取付壁部４１には、ボルト長孔４３の長手方向の中心線を挟んで対象的な位置に横フレーム１のスリット１６ａ，１７ａにねじ込まれるタッピングねじ６１を挿通させる2個のねじ貫通孔４５が形成されている。また、ボルト長孔４３の長手方向の中心線上の反接地壁部側の位置に縦フレーム２のスリット２５ａにねじ込まれるタッピングねじ６２を挿通させるねじ貫通孔４６が形成されている。これらねじ貫通孔４５，４６は、それぞれ同一形状の長孔であって、ねじ貫通孔４５の長手方向の中心線は、ボルト長孔４３の長手方向の中心線と平行となるように配置され、ねじ貫通孔４６の長手方向の中心線は、ボルト長孔４３の長手方向の中心線と直交するように配置されている。
【００２８】
また、これらねじ貫通孔４５，４６は、次のような相関位置となるように配置されている。すなわち、ボルト長孔４３の長手方向の中心線を挟んで対象的な位置に形成される２個のねじ貫通孔４５相互間の距離は、横フレーム１のスリット１６ａ，１７ａ相互間の距離と同一に形成されている。また、ボルト長孔４３の長手方向の中心線を挟んで対象的な位置に形成される一方のねじ貫通孔４５から長手方向の中心線上の反接地壁部側の位置に形成されるねじ貫通孔４６までの距離も、横フレーム１のスリット１６ａ，１７ａ相互間の距離と同一になるように形成されている。アジャスタ４の取付壁部４１においてねじ貫通孔４５，４６がこのように形成されることにより、接続部Ａに対しアジャスタ４を取り付ける場合に、アジャスタ４の接地壁部４２を建物の外壁に当接できるように鉛直方向に向けたり（図５参照）、あるいは、アジャスタ４の接地壁部４２を傾斜屋根のような傾斜面に当接し易いように斜めに向けたり（図７参照）することができる。
【００２９】
載置ステー５は、上壁部と、左右の側壁部と、下壁部とからなり、上壁部の中央部にはスリット５１が形成されている。そして、載置ステー５は、下壁部に設けられたねじ貫通孔（図示せず）介して横フレーム１の上側壁１１に設けられたスリット１８ａに対しタッピングねじ止めされて取り付けられている。したがって、このねじ止め位置を変更することにより、載置ステー５の左右方向の位置を自由に変更することができる。また、この載置ステー５の上壁部に形成されるスリット５１には、エアコンの脚部を支持する防振ゴム５２がボルトナット止めにより取り付けられている。したがって、ボルトナット止めの位置をスリット５１にそって移動させることにより、防振ゴム５２の位置を前後方向に自由に変更することができる。
【００３０】
次に、上記平地用エアコン置台の組付け手順について説明する。
先ず、平地用エアコン置台として使用する場合について説明する。この場合は、先ず横フレーム１と縦フレーム２とを前述の図２及び図３に示すように組み合わせる。すなわち、横フレーム１の長手方向端面１ａに対し、縦フレーム２の端部の内側面を当接するように押し当てる。このとき、縦フレーム２の上部筒状壁２１の端部が横フレーム１の突出壁１５の端部に形成された切欠部１５ａに載置されるとともに、横フレーム１の筒状部を成す端部が縦フレーム２の端部に抱きかかえられるように組み合わされる。このようにして、横フレーム１と縦フレーム２との接続部Ａが形成される。
【００３１】
次にこのように形成された接続部Ａに対し、図３に示すように、接続部Ａのコーナ部の外側に支柱３を立設するとともに、エアコン置台の側面となる支柱３の側壁３１における上二つのねじ貫通孔３３の下部の孔と、縦フレーム２の２個のねじ貫通孔２４と、横フレーム１の２個のスリット１６ａ，１７ａとをそれぞれ芯合わせする。そして、２個のねじ貫通孔３３から縦フレーム２のねじ貫通孔２４を介して横フレーム１のスリット１６ａ，１７ａに対しタッピングねじ６１をそれぞれねじ込ねじ込む。これにより、横フレーム１に対し縦フレーム２及び支柱３が共締めされ、これら３者が結合される。
【００３２】
また、エアコン置台の前面又は後面となる支柱３の側壁３１の最上方のねじ貫通孔３３の上部の孔と縦フレーム２のスリット２５ａとを芯合わせし、ねじ貫通孔３３を介して縦フレーム２のスリット２５ａに対しタッピングねじ６２をねじ込ねじ込むことにより、縦フレーム２と支柱３とをさらに結合する。このとき、横フレームの外側壁１２が縦フレーム２と支柱３との間に挟まれた状態で固定される。
【００３３】
また、各支柱３の下端部にアジャスタ４を取り付け、支柱の高さ調整を行う。アジャスタ４の取付は、図１に示すように、接地壁部４２がエアコン置台の内部を向くように取り付けられる。アジャスタ４の取付手順は、エアコン置台の側面を成す支柱３の側壁３１の下端部のボルト貫通孔３４に対し、アジャスタ４の取付壁部４１のボルト長孔４３を芯合わせする。このとき支柱３の高さを調整するように、ボルト長孔４３の適宜の位置のボルト貫通孔３４を対向させる。そして、支柱３の内側から外側に向けて根付きボルト６３を挿入し、アジャスタ４の外側からナット６４を締結することにより、アジャスタ４が支柱３の下端部に取り付けられる。以上のようにして、平地用のエアコン置台が形成される。また、組付けが完了した平地用のエアコン置台にエアコンを載置する場合には、横フレーム１の上側壁１１に形成されているスリット１８ａに対し載置ステー５をタッピングねじ止めする。そして、載置ステー５の上壁部のスリット５１に防振ゴム５２を取り付け、この防振ゴム５２を介してエアコン置台の上方にエアコンを取り付ける。
【００３４】
以上のように構成されるエアコン置台は、以下に説明するように複数種の傾斜屋根用エアコン置台として組み付けることができる。
［傾斜屋根用エアコン置台としての組付例１］
傾斜屋根用エアコン置台としての組付例１について図５及び図６に基づき説明する。この組付例１は、支柱３を結合するねじ（この場合はタッピングねじ６１）により、後方の支柱３に代わり鉛直の建物の外壁Ｗに対する固定部材としてアジャスタ４を後方の接続部Ａに直接取り付けるようにしたものである。
【００３５】
この場合は、図５に示すように、後方の左右の支柱３が取り外され、支柱３の下端部に取り付けられていたアジャスタ４が、支柱３に代わり外壁Ｗに対する固定部材として、後方の接続部Ａに対しタッピングねじ６１により直接取り付けられる。この後方の接続部Ａへのアジャスタ４の取付は、図６に示すように、接地壁部４２の接地面が鉛直となるように、ボルト長孔４３の長手方向の中心線を挟んで対象的な位置に形成される二つのねじ貫通孔４５が利用される。また、前方の支柱３の下方に取り付けられているアジャスタ４については、図５に示すように、接地壁部４２の接地面が傾斜屋根Ｒの傾斜面に沿うように傾斜して固定される。
【００３６】
［傾斜屋根用エアコン置台としての組付例２］
次に、傾斜屋根用エアコン置台としての組付例２について図７及び図８に基づき説明する。この組付例２は、支柱３を結合するねじ（この場合はタッピングねじ６１）により、後方の支柱３に代わり傾斜面用の脚としてアジャスタ４を後方の接続部Ａに直接取り付けるようにしたものである。
【００３７】
この場合は、図７に示すように、後方の左右の支柱３を取り外され、支柱３の下端部に取り付けられていたアジャスタ４が、支柱３に代わり傾斜面用の脚として、後方の接続部Ａに対しタッピングねじ６１により直接取り付けられる。この後方の接続部Ａへのアジャスタ４の取付は、接地壁部４２の接地面が斜めとなるように、ボルト長孔４３の長手方向の中心線を挟んで対象的な位置に形成される一方のねじ貫通孔４５と、ボルト長孔４３の長手方向の中心線上の反接地壁部側の位置に形成されるねじ貫通孔４６とが利用される。また、前方の支柱３の下方に取り付けられているアジャスタ４については、接地壁部４２の接地面が傾斜屋根Ｒの傾斜面に沿うように傾斜して固定される。
【００３８】
図８（ａ）及び（ｂ）は、右側面におけるアジャスタ４の取付を拡大して示したものであるが、これら図に示すように、タッピングねじ６１の位置を、長孔に形成されているねじ貫通孔４５，４６の一方の方向に片寄せする方向を変えることにより、接地壁部４２の設置面の傾斜角度Θを調整することができるように構成されている。すなわち、接地壁部４２の設置面の傾斜角度Θを大きくする場合は、図８（ａ）のように、アジャスタ４を図面上における反時計回りに捻ってタッピングねじ６１の位置をねじ貫通孔４５の上方に片寄せした状態とする。逆に、接地壁部４２の設置面の傾斜角度Θを小さくする場合は、図８（ｂ）のように、アジャスタ４を図面上における時計回りに捻ってタッピングねじ６１の位置をねじ貫通孔４５の下方に片寄せした状態とする。なお、左側面のアジャスタ４の取付はこれと左右対称的な取り付け方をすればよい。
【００３９】
［傾斜屋根用エアコン置台としての組付例３］
次に、傾斜屋根用エアコン置台としての組付例３について図９に基づき説明する。この組付例３は、後方の支柱３を実質的に短くして、傾斜屋根Ｒ上に取付可能としたものである。
【００４０】
この場合は、図９に示すように、後方の接続部Ａに対し支柱３を結合するときに使用するねじ貫通孔３３として、下方の位置に形成されたものを選択する。このようにすることにより、後方の支柱３の長さを実質的に短くすることができる。また、この組付例３では、後方の支柱３の上部が水平フレームの上部に突出するが、この突出部に形成されているねじ貫通孔３３を利用してエアコン置台を建物の外壁Ｗを構成する柱に針金Ｓで固定されるようにしている。また、この組付例３では、傾斜屋根Ｒの凹凸に対してエアコン置台を安定して取り付けるために、左右のアジャスタ４の接地壁部４２の設置面を架け渡す平板状の部材７、この場合は木材、が取り付けられている。
【００４１】
上記構成のエアコン置台によれば、次のような効果を奏することができる。
（１）アジャスタ４は、支柱３の高さ調整可能に高さ方向に長径にされた根付きボルト６３挿通用のボルト長孔４３と、支柱３が取り外された後方の接続部Ａに対し、支柱３を結合するためのタッピングねじ６１を用いて、鉛直の建物の外壁Ｗに対する固定部材として接続部Ａに直接取り付けられることを可能とするねじ貫通孔４５を備えている。なお、ここにおける支柱３を結合するためのねじはタッピングねじ６１である。したがって、後方に位置する接続部Ａに対し、支柱３を結合するタッピングねじ６１により、支柱３に代わり鉛直の建物の外壁Ｗに対する固定部材としてアジャスタ４を直接取り付けることができる。このように支柱３に代わりアジャスタ４を鉛直の建物の外壁Ｗに対する固定部材として接続部Ａに取り付けるようにすれば、エアコン置台を傾斜屋根用エアコン置台として使用する場合に外壁Ｗに近接して取り付けることができ、積雪の影響を緩和することができる。また、この場合には、エアコン置台の後方には支柱３が取り付けられていないので、水平フレームが傾斜屋根Ｒから上方に離れすぎるようなことがなく、安定性が向上する。また、水平フレームの後方において支柱３が上方に飛び出すようなこともないので、見栄えが向上するとともに、エアコン設置の作業性も向上する。
【００４２】
（２）アジャスタ４は、支柱３の高さ調整可能に高さ方向に長径にされた根付きボルト６３挿通用のボルト長孔４３と、支柱３が取り外された後方の接続部Ａに対し、支柱３を結合するためのタッピングねじ６１，６２を用いて、傾斜面用の脚として直接取り付けられることを可能とするねじ貫通孔４５、４６を備えている。したがって、後方に位置する接続部Ａに対し、支柱３を結合するタッピングねじ６１，６２により、支柱３に代わり傾斜面用の脚として直接取り付けることができる。このように支柱３に代わりアジャスタ４を傾斜面用の脚として接続部Ａに取り付けるようにすれば、前述のように水平フレームの後方を直接外壁Ｗに取り付けることが困難な場合に、後方に支柱３を設けることなく傾斜屋根Ｒに直接載置する取付を行うことができる。したがって、前述の場合と同様に、水平フレームが傾斜屋根Ｒから上方に離れすぎるようなことがなく、安定性が向上する。また、水平フレームの後方において支柱３が上方に飛び出すようなこともないので、見栄えが向上するとともに、エアコン設置の作業性も向上する。
【００４３】
（３）支柱を結合するねじはタッピングねじ６１であり、横フレーム１には、スリット１６ａ，１７ａを形成する突条部１６，１７が長手方向に形成されるとともに、スリット１６ａ，１７ａの端面が横フレーム１の長手方向端面１ａに開放されている。また、横フレーム１と縦フレーム２との接続部Ａの構造及びこの接続部Ａに対する支柱３の結合構造は、横フレーム１の長手方向端面１ａに縦フレーム２の外側壁２２及び支柱３の側壁３１が重ねられる。そして、重ねられた縦フレーム２の外側壁２２及び支柱３の側壁３１を貫通するタッピングねじ６１が横フレーム１のスリット１６ａ，１７ａに対しその端面からねじ込まれることにより、縦フレーム２及び支柱３が横フレーム１に対し共締めされるように構成されている。したがって、この実施の形態によるエアコン置台によれば、横フレーム１と縦フレーム２との接続部Ａの構造、及び、この接続部Ａに対する支柱３の結合構造において、結合部材を別途設ける必要がなく、構成部品の部品点数を極力削減した構造とすることができる。また、載置するエアコンの機種によりサイズの異なるエアコン置台を製作する場合には、横フレーム１及び縦フレーム２の長さを変更するのみで、同様の組付け構造とすることができる。また、エアコン置台の高さを変更したい場合には、支柱３の長さを変更するだけで組付け構造はそのままとすることができる。このように本発明の組付け構造によれば、構成部品の共通化を図ることができる。また、突条部１６，１７が横フレーム１の長手方向に形成されているので、横フレーム１の長手方向の曲げ強度が増加する。
【００４４】
（４）また、縦フレーム２は、スリット２５ａを形成する突条部２５が長手方向に形成されるとともに、スリット２５ａの端面が縦フレーム２の長手方向端面２ａに開放されている。そして、支柱３は、支柱３の側壁３１を貫通するタッピングねじ６２が縦フレーム２のスリット２５ａに対し端面からねじ込まれることにより、縦フレーム２に対しタッピングねじ止めされるように構成されている。これにより、接続部Ａに対する支柱３の結合強度がより向上する。また、突条部２５が縦フレーム２の長手方向に形成されているので、縦フレーム２の長手方向の曲げ強度が増加する。
【００４５】
（５）また、横フレーム１にスリット１６ａ，１７ａを形成する突条部１６，１７が上下２箇所に形成されている。そして、この上下２箇所のスリット１６ａ，１７ａに対しねじ込まれる２本のタッピングねじ６１により、縦フレーム２及び支柱３が横フレーム１に対し共締めされている。したがって、後方の接続部Ａに直接アジャスタ４を取り付ける場合に、１本のねじではなく、２本のタッピングねじ６１でアジャスタ４が取り付けられるので、アジャスタ４の取付強度が向上する。
【００４６】
（６）横フレーム１は、スリット１６ａ，１７ａが鉛直方向に並ぶように形成されている。また、アジャスタ４は、支柱３の下端部の側面に当接される取付壁部４１と設置面に接地される接地壁部４２とを備えている。そして、取付壁部４１には、長手方向の中心線が接地壁部４２に対し垂直となるようにボルト長孔４３が形成され、このボルト長孔４３の長手方向の中心線を挟んで対象的な位置に横フレーム１のスリット１６ａ，１７ａにねじ込まれるタッピングねじ６１を挿通させるねじ貫通孔４５が形成されている。また、取付壁部４１には、ボルト長孔４３の長手方向の中心線上の反接地壁部側の位置に縦フレーム２のスリット２５ａにねじ込まれるタッピングねじ６２を挿通させるねじ貫通孔４６が形成されている。さらに、ねじ貫通孔４５相互間の距離、及び、この長手方向の中心線を挟んで対象的な位置に形成される一方のねじ貫通孔４５から長手方向の中心線上の反接地壁部側の位置に形成されるねじ貫通孔４６までの距離が、前述の横フレーム１のスリット１６ａ，１７ａ相互間の距離と同一に形成されている。
【００４７】
したがって、ボルト長孔４３を利用して支柱３の下端部にアジャスタ４をボルト止めすると、ボルト長孔４３に対するボルトの固定位置を調整することにより支柱３の高さを調整することができる。また、このアジャスタ４の取付角度を変更することにより、アジャスタ４の接地壁部４２を設置面の傾斜に対応させることもできる。
【００４８】
また、アジャスタ４のボルト長孔４３の両側に形成されたねじ貫通孔４５を利用して後方の接続部Ａにアジャスタ４を取り付けると、アジャスタ４の接地壁部４２を外壁Ｗに直接当接させて外壁Ｗに固定するエアコン置台に変更できる。また、このねじ貫通孔４５の内の一つとボルト長孔４３の長手方向の中心線上の反接地壁部側の位置に形成されたねじ貫通孔４６とを利用して後方の接続部Ａにアジャスタ４を取り付けると、アジャスタ４の接地壁部４２を傾斜した状態とすることができる。したがって、このように後方の接続部Ａに対しアジャスタ４を直接取り付けるとともに、前方の支柱３の下端部に取り付けるアジャスタ４を傾斜させることにより、傾斜屋根用、傾斜地等の傾斜面に設置するエアコン置台に変更することができる。
【００４９】
（７）また、この場合において、ボルト長孔４３の長手方向の中心線を挟んで対象的な位置に形成されたねじ貫通孔４５の何れを使用するかにより、さらにアジャスタ４の左右の向きを変更することにより、アジャスタ４を左右兼用に使用することができる。
【００５０】
（８）横フレーム１のスリット１６ａ，１７ａ及び縦フレーム２のスリット２５ａは、それぞれその内周面が円筒状に形成されているため、タッピングねじ６１，６２のねじ込み時にスリット１６ａ，１７ａ，２５ａの内面に形成されるねじ溝の形成される範囲が大きくなる。このため、タッピングねじ６１，６２による横フレーム１、縦フレーム２及び支柱３又はアジャスタ４の結合強度が大きくなる。
【００５１】
（９）横フレーム１、縦フレーム２及び支柱３が、アルミニウム又はアルミ系合金を材料として、押出加工により形成されているため、折り曲げ加工等の複雑な作業を経ることなく、横フレーム１及び縦フレーム２を精密にかつ簡便に製造することができる。また、このようにアルミニウム又はアルミ系合金が使用されているためエアコン置台を軽量化することができ、運搬時及び組み立て時の取り扱いが容易となり、作業性を向上させることができる。
【００５２】
（１０）横フレーム１及び縦フレーム２は、何れも筒状部を有するように形成されているため、横フレーム１及び縦フレーム２の曲げ強度を強化することができる。また、横フレーム１と縦フレーム２は、接続部Ａにおいても横フレーム１及び縦フレーム２の筒状部が重なるように組み合わされるため、接続部Ａにおいて強度が低下するようなことがない。
【００５３】
（１１）横フレーム１の突条部１６，１７及び縦フレーム２の突条部２５は、各フレーム１，２の筒状部内に設けられているため、エアコン置台の外部から見えず、見栄えが良好となっている。
【００５４】
なお、上記実施形態は以下のように変更してもよい。
・上記実施形態では、横フレーム１と縦フレーム２とを直接結合させずに重ね合わせた状態で、横フレーム１、縦フレーム２及び支柱３が共締めされる構造となっているが、横フレーム１と縦フレーム２とを直接結合した上で、支柱３をこれらフレーム１，２に結合するように構成してもよい。
【００５５】
・上記実施の形態では、支柱３は、一定の高さのものが例示されているが、異なる高さのものを選択できるように、異なる長さの複数の支柱３を準備するようにしてもよい。このように構成すれば、設置条件に対応して適切な高さの支柱３を用いることができる。
【００５６】
・上記実施の形態における傾斜屋根用エアコン置台としての組付例１及び２において、傾斜屋根Ｒの上に接触する左右のアジャスタ４の接地壁部４２の設置面間に、傾斜屋根用エアコン置台としての組付例３の場合と同様に、木材等の平板状の部材７を掛け渡すようにしてもよい。このようにすれば凹凸のある傾斜屋根Ｒにおける据付が安定する。
【００５７】
・アジャスタ４は、支柱３の下端部に根付きボルト６３により取り付けられているが、支柱３の下端部のボルト貫通孔３４を丸孔とし、通常のボルトにより固定するようにしてもよい。
【００５８】
・横フレーム１、縦フレーム２及び支柱３の組付けにはタッピングねじ６１，６２のみが使用されているが、通常のねじを利用して組み付ける構造としてもよい。この場合には、構造が複雑化する恐れがあるが、組み付けされたエアコン置台を一旦分解して再組立てするような場合にねじ部の強度を略そのまま保持できるという利点がある。
【００５９】
・横フレーム１及び縦フレーム２は筒状部を備えた構造に形成されているが、筒状部を形成しない構造としてもよい。
・横フレーム１のスリット１６ａ，１７ａ及び縦フレーム２のスリット２５ａが略円筒状に形成されているが、円筒状以外の形状で形成してもよい。例えば、平行な壁からなるスリットを形成し、この平行な壁により形成されているスリット内面にタッピングねじ６１、６２を螺合するように構成することもできる。ただし、この場合は、ねじ形成範囲が略円筒状の場合に比し小さくなるので、結合強度が弱くなるという欠点がある。
【００６０】
・横フレーム１のスリット１６ａ，１７ａ及び縦フレーム２のスリット２５ａが、横フレーム１及び縦フレーム２の長手方向全長に亘って形成されているが、横フレーム１及び縦フレーム２の長手方向端部の所定範囲のみに形成するようにしてもよい。
【００６１】
・横フレーム１及び縦フレーム２は、アルミニウム又はアルミ系合金を材料として、押出加工により形成されているが、これ以外の材料、方法で形成するようにしてもよい。
【図面の簡単な説明】
【００６２】
【図１】本発明に係る平地用エアコン置台としての組付例の斜視図。
【図２】同エアコン置台における横フレームと縦フレームとの接続部の分解斜視図。
【図３】同接続部との支柱との結合する部分の分解斜視図。
【図４】同エアコン置台に用いられているアジャスタの外観斜視図。
【図５】傾斜屋根用エアコン置台としての組付例を示した同エアコン置台の側面図。
【図６】同組付例における後方の接続部におけるアジャスタの取付要領図。
【図７】傾斜屋根用エアコン置台としての他の組付例を示した同エアコン置台の側面図。
【図８】同組付例における後方の接続部におけるアジャスタの取付要領図であって、（ａ）はアジャスタを図面で見て反時計方向に捻った状態の取付要領図、（ｂ）はアジャスタを図面で見て時計方向に捻った状態の取付要領図。
【図９】傾斜屋根用エアコン置台としての他の組付例を示した同エアコン置台の設置状態における斜視図。
【符号の説明】
【００６３】
Ａ…接続部、Ｗ…外壁、１…横フレーム、１ａ…（横フレームの）長手方向端面、２…縦フレーム、２ａ…（縦フレームの）長手方向端面、３…支柱、４…アジャスタ、１６，１７，２５…突条部、１６ａ，１７ａ，２５ａ…スリット、２２…外側壁、３１…側壁、３４…ボルト貫通孔、４１…取付壁部、４２…接地壁部、４３…ボルト長孔、４５，４６…ねじ貫通孔、６１…（支柱を取り付けるねじ）タッピングねじ、６２…タッピングねじ。
【図１】
2008164212.tif 000003
【図２】
2008164212.tif 000004
【図３】
2008164212.tif 000005
【図４】
2008164212.tif 000006
【図５】
2008164212.tif 000007
【図６】
2008164212.tif 000008
【図７】
2008164212.tif 000009
【図８】
2008164212.tif 000010
【図９】
2008164212.tif 000011